(57)【要約】【課題】ポリフェノールが増量した軟らかい、食べやすいおいしいご飯を手間なく得ることを目的とする。【解決手段】加熱手段２で加熱される鍋１の温度を測定する温度測定手段３と、前記鍋１の温度に基づいて前記加熱手段に与える電力を制御する制御手段４と、前記鍋１の開口部を覆う蓋５の鍋対向側に配置した内蓋６を加熱する内蓋加熱手段７と、前記内蓋６の温度を測定する内蓋温度測定手段８と、水タンク９の水を前記鍋内部に供給する給水手段１１とを備え、炊飯工程には玄米専用の前処理工程を備えるとともに、この前処理工程において、前記内蓋加熱手段で前記内蓋を加熱することにより、玄米や分づき米や胚芽米に含まれるポリフェノール量の増加を可能にし、また、玄米において、表層の果皮・種皮の軟化を促進し、さらに、分づき米、胚芽米の食感もよくすることを可能にしたものである。【選択図】図１
2010194081.tif 000002
【特許請求の範囲】
【請求項１】
鍋と、前記鍋を加熱する加熱手段と、前記鍋の温度を測定する温度測定手段と、前記鍋の温度に基づいて前記加熱手段に与える電力を制御する制御手段と、前記鍋の開口部を覆う蓋と、前記蓋の下面の前記鍋に対向する側に配置した内蓋と、前記内蓋を加熱する内蓋加熱手段と、前記内蓋の温度を測定する内蓋温度測定手段と、水を貯水する水タンクと、前記水タンクの水を前記鍋内部に供給する給水手段とを備え、炊飯工程には玄米専用の前処理工程を備えるとともに、この前処理工程において、前記内蓋加熱手段で前記内蓋を加熱することを特徴とする炊飯器。
【請求項２】
内蓋の鍋対向面を遠赤外線放射率の高い色で着色したことを特徴とする請求項１記載の炊飯器。
【請求項３】
内蓋の鍋対向面に遠赤外線放射率の高い材料をコーティングしたことを特徴とする請求項１記載の炊飯器。
【請求項４】
内蓋を遠赤外線放射率の高い材料で形成したことを特徴とする請求項１記載の炊飯器。
【請求項５】
前処理工程において、内蓋を６０℃以上１００℃以下で一定時間維持するように制御手段を制御することを特徴とする請求項１記載の炊飯器。
【請求項６】
内蓋の加熱を１分以上２０分以下の範囲で維持することを特徴とする請求項５記載の炊飯器。
【請求項７】
水タンクを加熱する水タンク加熱手段を備え、前処理工程のあとに、前記水タンク加熱手段により予め加熱しておいた前記水タンクの水を給水手段により鍋内部に供給することを特徴とする請求項１記載の炊飯器。
【発明の詳細な説明】
【技術分野】
【０００１】
本発明は、炊飯器に関するものである。
【背景技術】
【０００２】
玄米や分づき米や胚芽米には、ミネラルを始め栄養成分が精白米に較べて豊富に含まれ、特に、機能成分であるポリフェノールは、活性酸素の働きを抑える抗酸化作用があり、心筋梗塞の予防、血中コレステロールの低下などの効果があるとの報告もあり、近年、健康志向の高まりとともに注目されてきている。
【０００３】
しかし玄米は、表層の果皮・種皮が硬く、炊飯したとき、軟らかくなりにくく、果皮・種皮の残さが残り、精白米と比較して、硬く、食感が悪い、また、胚芽米や分づき米のおいても、玄米ほどではないが、炊飯したとき、食感が悪く、おいしく炊飯することが難しい。
【０００４】
よって、これら玄米や胚芽米や分づき米は、栄養・機能成分が豊富に含まれているにもかかわらず、食べづらく、毎日食するには、食べやすくする必要がある。
【０００５】
一方、ミネラルやポリフェノールは、玄米や分づき米や胚芽米以外に黒米や雑穀類にも多く含まれている。
【０００６】
そこで、各種栄養成分やポリフェノールを豊富に含むご飯を得るため、炊飯するとき、精白米に添加することにより、ポリフェノールを増量したご飯を得ることができるように、精白米と同じように炊飯できるように前処理された雑穀が知られている（例えば、特許文献１参照）。
【特許文献１】特開２００３−１１１５７０号公報
【発明の開示】
【発明が解決しようとする課題】
【０００７】
しかしながら、前記従来のものでは、各種栄養成分やポリフェノールを精白米より多く摂取することはできるが、この前処理された雑穀を玄米や分づき米や胚芽米に添加しても食感が改善されることはなく、おいしく、食べやすく炊飯することはできない。
【０００８】
また、雑穀米を添加して炊飯することは、玄米や分づき米や胚芽米そのものご飯とは異なる味になってしまう。
【０００９】
本発明は、前記従来の課題を解決するもので、ポリフェノールが増量した軟らかい、食べやすいおいしいご飯を手間なく得ることを目的とする。
【課題を解決するための手段】
【００１０】
上記課題を解決するために、本発明の炊飯器は、鍋と、前記鍋を加熱する加熱手段と、前記鍋の温度を測定する温度測定手段と、前記鍋の温度に基づいて前記加熱手段に与える電力を制御する制御手段と、前記鍋の開口部を覆う蓋と、前記蓋の下面の前記鍋に対向する側に配置した内蓋と、前記内蓋を加熱する内蓋加熱手段と、前記内蓋の温度を測定する内蓋温度測定手段と、水を貯水する水タンクと、前記水タンクの水を前記鍋内部に供給する給水手段とを備え、炊飯工程には玄米専用の前処理工程を備えるとともに、この前処理工程において、前記内蓋加熱手段で前記内蓋を加熱することにより、玄米や分づき米や胚芽米に含まれるポリフェノール量の増加を可能にし、また、玄米において、表層の果皮・
種皮の軟化を促進し、さらに、分づき米、胚芽米の食感もよくすることを可能にしたものである。
【００１１】
加えて、前処理工程終了後、水タンクから炊飯水を内鍋内部に投入することにより、引き続き炊き上げ・むらし工程も効率よく行うことができ、玄米や分づき米や胚芽米そのものの味を損なうことなく、ポリフェノールが増量し、食感も改善した、食べやすい、おいしいご飯を手間なく得ることができるようにしたものである。
【発明の効果】
【００１２】
本発明の炊飯器は、前処理工程時に、内蓋の熱により、鍋内部に設置された玄米が加熱され、玄米の組織の軟化が促進され、また玄米に含まれるポリフェノールも増量され、水を貯水する水タンクを有することから、その後引き続き炊飯することにより、ポリフェノールが増量した軟らかい、食べやすいおいしいご飯を手間なく得ることができる。
【発明を実施するための最良の形態】
【００１３】
第１の発明は、鍋と、前記鍋を加熱する加熱手段と、前記鍋の温度を測定する温度測定手段と、前記鍋の温度に基づいて前記加熱手段に与える電力を制御する制御手段と、前記鍋の開口部を覆う蓋と、前記蓋の下面の前記鍋に対向する側に配置した内蓋と、前記内蓋を加熱する内蓋加熱手段と、前記内蓋の温度を測定する内蓋温度測定手段と、水を貯水する水タンクと、前記水タンクの水を前記鍋内部に供給する給水手段とを備え、炊飯工程には玄米専用の前処理工程を備えるとともに、この前処理工程において、前記内蓋加熱手段で前記内蓋を加熱することにより、玄米や分づき米や胚芽米に含まれるポリフェノール量の増加を可能にし、また、玄米において、表層の果皮・種皮の軟化を促進し、さらに、分づき米、胚芽米の食感もよくすることを可能にしたものである。
【００１４】
加えて、前処理工程終了後、水タンクから炊飯水を内鍋内部に投入することにより、引き続き炊き上げ・むらし工程も効率よく行うことができ、玄米や分づき米や胚芽米そのものの味を損なうことなく、ポリフェノールが増量し、食感も改善した、食べやすい、おいしいご飯を手間なく得ることができるようにしたものである。
【００１５】
第２の発明は、特に第１の発明において、蓋の鍋対向面を遠赤外線放射率の高い色で着色した。
【００１６】
第３の発明は、特に第１の発明において、内蓋の鍋対向面に遠赤外線放射率の高い材料をコーティングした。
【００１７】
第４の発明は、特に第１の発明において、内蓋を遠赤外線放射率の高い材料で形成したものである。
【００１８】
これら第１〜３の発明によれば、前処理工程において、内鍋内部に設置された玄米へ遠赤外線の放射が可能になり、玄米のポリフェノールをさらに増量させることができる。
【００１９】
第５の発明は、特に第１の発明において、前処理工程において、内蓋を６０℃以上１００℃以下で一定時間維持するように制御手段を制御したことにより、効率よく、ポリフェノールの増量や組織の軟化を促進することができる。
【００２０】
第６の発明は、特に第５の発明において、内蓋の加熱を１分以上２０分以下の範囲で維持することにより、玄米の組織を損傷しすぎることなく、前処理工程後、炊飯しても、適度な物性を保つことができる。
【００２１】
第７の発明は、特に第１の発明において、水タンクを加熱する水タンク加熱手段を備え、前処理工程のあとに、前記水タンク加熱手段により予め加熱しておいた前記水タンクの水を給水手段により鍋内部に供給することにより、継続して、効率よく炊き上げ・むらし工程を行うことができ、手間なく、ポリフェノールが増量した軟らかい、食べやすいおいしいご飯を得ることができる。
【００２２】
以下、本実施の形態について、図を用いて説明する。尚、この実施の形態によってこの発明が限定されるものではない。
【００２３】
（実施の形態１）
図１に示すように、本実施の形態における炊飯器は、調理物（玄米等）を収容する鍋１と、この鍋１を加熱して、調理物の調理を行う電磁加熱コイルなどからなる加熱手段２と、鍋１の温度を測定する温度センサーからなる温度測定手段３と、温度測定手段３が測定した鍋１の温度に基づいて、炊飯の各工程を順次実行できるように、加熱手段２に与える電力を制御する制御手段４とを備えている。
【００２４】
また、鍋１の開口部を覆う蓋５の鍋１に対向するところに内蓋６を有しており、この内蓋６の鍋１対向面は、遠赤外線放射率の高い材料でコーティングされている。
【００２５】
内蓋６には内蓋加熱手段７が配置され、温度センサーからなる内蓋温度測定手段８によりその温度が測定されるようにしてある。
【００２６】
そして、内蓋温度測定手段８が測定した内蓋６の温度に基づいて、内蓋加熱手段７に与える電力を制御手段４で制御するようになっている。
【００２７】
さらに、鍋１とは別に、水を貯水しておく水タンク９と、この水タンク９の水を加熱する水タンク加熱手段１０とを備え、水タンク９の水はポンプなどの給水手段１１、および水通路パイプ１２を介して鍋１の内部に供給するようにしている。
【００２８】
ここで、玄米３合（４４４ｇ）を鍋１に収納した場合を例にとって、本実施の形態１における炊飯器の炊飯工程を説明する。
【００２９】
先ず、内鍋１に玄米を収納し、炊飯開始ボタンを押すことにより炊飯が開始される。
【００３０】
すなわち、温度測定手段３で測定した鍋１の温度に基づいて、炊飯工程の玄米専用の前処理工程、炊き上げ、むらしの各工程が実行される。
【００３１】
前処理工程において、内蓋加熱手段７により、内蓋６を１００℃で、５分間加熱することにより、内蓋６の鍋１対向面の遠赤外線の高い材料でコーティングされた面から鍋１内部に設置された玄米に遠赤外線による加熱が行われ、その後、水タンク９にて予め加熱された炊飯に必要な水が、鍋１内部に供給され、炊き上げ、むらしの各工程が行われ、炊飯が終了する。
【００３２】
【表１】
2010194081.tif 000003
【００３３】
表１に示したように、本実施の形態１の炊飯器で炊飯終了後得られた玄米ご飯の抗酸化能は、前処理のない炊飯器で炊飯した従来例１のご飯の５０％と比較すると６５％に増量していた。
【００３４】
抗酸化能とは、酸化反応の過程で生成されるラジカル（酸素との反応性の高い物質）モデル試薬と試料抽出溶液（この場合ご飯抽出溶液）を反応させたとき、モデル試薬に含まれていたラジカルがどれくらい消去されたかその消去率を示し、この値が高いほど抗酸化能が高く、含まれているポリフェノール量が多いと考えられる。
【００３５】
従来例２の精白米に前処理された雑穀米を添加して炊飯したときに得られたご飯では、この抗酸化能の値は３６％となり、玄米には高い抗酸化能があることがわかる。
【００３６】
また、本実施の形態１の炊飯器で炊飯終了後得られた玄米ご飯は、従来例１と比較して食感がよく、軟らかくなっていた。
【００３７】
これは、本実施の形態１の前処理には、以下の効果があるためと考えられる。
【００３８】
玄米に多く含まれるポリフェノールの代表的な成分にフェルラ酸がある。フェルラ酸は、玄米表層の細胞壁を構成している成分であり、玄米が１００℃で加熱されることにより、細胞壁が熱により損傷を受け、フェルラ酸が遊離されやすくなり、さらに遠赤外線が放射されていることにより、その熱は効率よく、玄米内部に浸透され、総ポリフェノール量が増加し、結果抗酸化能が高くなったと考えられる。
【００３９】
また、玄米表層が損傷されていることから、表層部の果皮・種皮の部分の軟化が促進され、また炊飯するとき吸水しやすくなっていることから、前処理終了後、水タンク加熱手段により、予め加熱された水が鍋内にされることにより、炊き上げ、むらし工程が効率よく実施され、総ポリフェノール量が増加し、軟らかく、おいしい食感もよい玄米ご飯を手
間なく得ることができたと考えられる。
【００４０】
以上述べたところから明らかなように、本実施の形態１の炊飯器は、鍋と、前記鍋を加熱する加熱手段と、前記鍋の温度を測定する温度測定手段と、前記鍋の温度に基づいて前記加熱手段に与える電力を制御する制御手段と、前記鍋の開口部を覆う蓋と、前記蓋の下面の前記鍋に対向する側に配置した内蓋と、前記内蓋を加熱する内蓋加熱手段と、前記内蓋の温度を測定する内蓋温度測定手段と、水を貯水する水タンクと、前記水タンクの水を前記鍋内部に供給する給水手段とを備え、炊飯工程には玄米専用の前処理工程を備えるとともに、この前処理工程において、前記内蓋加熱手段で前記内蓋を加熱することにより、内鍋内部に設置された玄米を６０℃以上１００℃以下で１分以上２０分以下加熱することで、玄米の表層の軟化を促進し、さらに表層に多く含まれるポリフェノールの遊離も促進され、また、内蓋の内鍋対向面を遠赤外線の高い材料でコーティングすることにより、さらに、玄米内部まで効率よく加熱することができ、前処理終了後、水を貯水する水タンクから、内鍋内部に水を供給することで、引き続き炊き上げ、むらし工程を行うことが可能となり、手間なく、ポリフェノールが増量した軟らかい、食べやすいおいしいご飯を得ることができた。
【００４１】
なお、実施の形態１では、内蓋の鍋対向面を遠赤外線放射率の高い材料でコーティングした例を述べたが、場合によっては、内蓋の鍋対向面を遠赤外線放射率の高い色で着色したり、或いは、内蓋そのものを遠赤外線放射率の高い材料で形成することも考えられる。
【産業上の利用可能性】
【００４２】
以上のように、本発明にかかる炊飯器は、鍋を加熱する加熱手段と、鍋の温度を測定する温度測定手段と、鍋の温度に基づいて加熱手段に与える電力を制御する制御手段と、水を貯水する水タンクと、水タンクの水を内鍋内に供給する給水手段とを備えることにより、食品以外の有機物を加熱するとき、反応に応じて、水を添加したり、加熱温度や時間を変えることができ、さらに内蓋と内蓋加熱手段を備え、内鍋からの加熱反応も行うことができる。
【図面の簡単な説明】
【００４３】
【図１】本発明の実施の形態１を示す炊飯器の断面図
【符号の説明】
【００４４】
１  鍋
２  加熱手段
３  温度測定手段
４  制御手段
５  蓋
６  内蓋
７  内蓋加熱手段
８  内蓋温度測定手段
９  水タンク
１０  水タンク加熱手段
１１  給水手段
【図１】
2010194081.tif 000004